(57)【要約】【課題】ガラスパネルの下方に配置された下框に歪み等の変形が生じる事を防止できる、ガラス付建具の構造を実現すべく発明したものである。【解決手段】それぞれがアルミニウム合金製である室外側に配置された室外側下框６２及び室内側に配置された室内側下框６３を、合成樹脂製で帯状の断熱材９ｉにより面外方向に連結して、下框５１を構成する。そして、ガラス溝６０ｂの底部の一部を構成する断熱材９ｉの下方で、且つ、室外側下框６２と室内側下框６３との間部分に、このうちの室外側下框６２に支持された金属製の補強部材７２を配置し、この補強部材７２によって断熱材９ｉの下面を支持する。【選択図】図３
2018112033.tif 000002
【特許請求の範囲】
【請求項１】
ガラスパネルと、このガラスパネルの下辺を支持する下方フレームとを備え、
このうちの下方フレームが、室外側フレームと室内側フレームとを断熱材を介して連結する事により構成されていると共に、前記下方フレームのうちで、前記ガラスパネルの下辺が挿入されるガラス溝の底部の一部が、前記断熱材により構成されている、
ガラス付建具であって、
前記ガラス溝の底部を構成する前記断熱材の下方で且つ前記室外側フレームと前記室内側フレームとの間部分に配置されると共に、これら室外側フレームと室内側フレームとのうちの何れか一方に支持された補強部材により、前記ガラス溝の底部を構成する前記断熱材の下面が支承されている、
事を特徴とするガラス付建具。
【請求項２】
前記室外側フレームの室内側面と前記室内側フレームの室外側面とのうちの何れか一方の側面に開口した係合溝内に、前記補強部材に設けられた係合突条を係合させる事により、この補強部材が前記室外側フレームと前記室内側フレームとのうちの何れか一方に支持されている、請求項１に記載したガラス付建具。
【請求項３】
前記室外側フレーム及び前記室内側フレームが、アルミニウム合金製である、請求項１〜２のうちの何れか１項に記載したガラス付建具。
【請求項４】
前記下方フレームが、窓障子の下辺を構成する下框である、請求項１〜３のうちの何れか１項に記載したガラス付建具。
【請求項５】
前記下方フレームが、窓枠の下辺を構成する下枠である、請求項１〜３のうちの何れか１項に記載したガラス付建具。
【請求項６】
前記ガラスパネルが、セッティングブロックを介して前記ガラス溝の底部に載置されている、請求項１〜５のうちの何れか１項に記載したガラス付建具。
【発明の詳細な説明】
【技術分野】
【０００１】
本発明は、ガラスパネルとガラスパネルの下辺を支持する下方フレームとを備えたガラス付建具のうち、下方フレームが、室外側フレームと室内側フレームとを断熱材により連結した構造を有する、断熱用のガラス付建具の改良に関する。
【背景技術】
【０００２】
建物躯体の開口部には、採光や換気等を目的として、窓装置を設ける事が行われている。この様な窓装置を構成する窓枠の枠材や窓障子用の框材は、一般的にアルミニウム合金から造られている。但し、アルミニウム合金は熱伝導率が高い為、枠材や框材の室内側部分の表面の温度は外気の温度に近くなり、そのままでは室内の冷暖房効果を損なう可能性があるだけでなく、冬期に結露が生じて、床やカーテン等を汚損する可能性がある。
【０００３】
この様な事情に鑑みて、例えば特許文献１には、枠材や框材を、アルミニウム合金製の室外側フレームと合成樹脂製の室内側フレームとを連結する事により構成する構造が開示されている。この様な従来構造の第１例の場合、室内側フレームを構成する合成樹脂の熱伝導率が低い為、室内側フレームの温度を、外気の温度に拘らず一定に保ち易くする事ができる。この為、室内の冷暖房効果を向上させられると共に、結露の発生を防止できる。但し、この様な従来構造の第１例の場合、枠材や框材全体をアルミニウム合金製とした場合に比べて、耐久性や耐候性が低くなる。又、例えば窓装置の組み付け作業時には、溶接による火花の影響や傷などの配慮も必要になる。
【０００４】
この様な事情に鑑みて、例えば特許文献２には、枠材や框材を、アルミニウム合金製の室外側フレーム及び室内側フレームと、これら室外側フレームと室内側フレームとを連結する合成樹脂製の断熱材とから構成する構造が開示されている。この様な従来構造の第２例の場合、室外側フレームと室内側フレームとの間には、熱伝導率が低い合成樹脂製の断熱材が存在する為、これら室外側、室内側両フレーム同士の間での熱伝達量が少なくなる。この為、室内側フレームの温度を、外気の温度に拘らず一定に保ち易くする事ができる。従って、室内の冷暖房効果を向上させられると共に、結露の発生を防止できる。又、室内側フレームを合成樹脂製とした場合に比べて、耐久性及び耐候性の向上を図れる。更に、窓装置の組み付け作業時に於いても、溶接による火花の影響や傷などの配慮も軽減される。
【先行技術文献】
【特許文献】
【０００５】
【特許文献１】特開平１０−１８４１９９号公報
【特許文献２】特開平１０−１９６２２８号公報
【発明の概要】
【発明が解決しようとする課題】
【０００６】
ところが、上述した様な従来構造の第２例の場合、次の様な問題を生じる可能性がある。
例えば窓障子を構成する下框を、それぞれがアルミニウム合金製の室外側フレーム及び室内側フレームと、これら室外側フレームと室内側フレーム同士を連結する合成樹脂製の断熱材とから構成した場合、断熱性能の向上を図るべく、断熱材をガラスパネルの下方に位置させると、ガラスパネルの重量の一部を断熱材によって支承しなければならなくなる。この結果、長期間に亙る使用により、断熱材に変形が生じて、下框に歪みが生じる等の問題を生じる可能性がある。
本発明は、上述した様な事情に鑑み、下方フレームに歪み等の変形が生じる事を防止できる、ガラス付建具の構造を実現すべく発明したものである。
【課題を解決するための手段】
【０００７】
本発明のガラス付建具は、ガラスパネルと、このガラスパネルの下辺を支持する下方フレームとを備える。
このうちの下方フレームは、例えばそれぞれがアルミニウム合金製の室外側フレームと室内側フレームとを、例えばポリアミド６（ナイロン６）などの合成樹脂製で帯状（板状）の断熱材を介して連結する事により構成されている。又、前記下方フレームのうちで、前記ガラスパネルの下辺が挿入されるガラス溝の底部の一部を、前記断熱材により構成している。
特に本発明の場合には、前記ガラス溝の底部を構成する前記断熱材の下方で、且つ、前記室外側フレームと前記室内側フレームとの間部分に、前記室外側フレームと前記室内側フレームとのうちの何れか一方に支持された状態で、例えば金属製の補強部材を配置している。
そして、この補強部材により、前記ガラス溝の底部を構成する前記断熱材の下面を支承している。
【０００８】
本発明を実施する場合に、前記室外側フレーム又は前記室内側フレームに対する前記補強部材の支持構造は特に問わないが、例えば、前記室外側フレームの室内側面と前記室内側フレームの室外側面とのうちの何れか一方の側面に開口した、例えばあり溝状の係合溝内に、前記補強部材に設けられた係合突条を係合させる事により、この補強部材を前記室外側フレームと前記室内側フレームとのうちの何れか一方に支持する事ができる。
【０００９】
本発明を実施する場合、例えば、前記室外側フレーム及び前記室内側フレームを、アルミニウム合金製とする事ができる。アルミニウム合金としては、例えば、Ａ６０６３Ｓ−Ｔ５材（ＪＩＳ Ｈ ４１００）、即ち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。
【００１０】
又、本発明を実施する場合には、前記下方フレームを、窓障子（可動障子又は固定障子）の下辺を構成する下框とする事ができる。尚、この場合には、本発明のガラス付建具は、窓障子（ガラス障子）となる。
或いは、本発明を実施する場合には、前記下方フレームを、窓枠の下辺を構成する下枠とする事もできる。尚、この場合には、ガラスパネルの下辺を下枠により直接支持する構造となる為、本発明のガラス付建具は、窓装置となる。
又、本発明を実施する場合には、前記ガラスパネルを、セッティングブロックを介して、前記ガラス溝の底部に載置する事ができる。
【発明の効果】
【００１１】
上述の様な構成を有する本発明によれば、断熱材に加わるガラスパネルの重量を、補強部材を介して、下方フレームを構成する室外側フレームと室内側フレームとのうちの何れかのフレームに支承させる事ができる。この為、断熱材の変形を防止でき、下方フレームに歪み等の変形が生じる事を防止できる。
【図面の簡単な説明】
【００１２】
【図１】本発明の実施の形態の１例に係る窓装置を建造物の室内側から見た正面図。
【図２】同じく図１のＡ−Ａ断面図。
【図３】同じく図１のＢ−Ｂ断面図。
【図４】同じく図１のＣ−Ｃ断面図。
【図５】同じく可動側上枠及び固定側上枠と中間方立との連結部を上方から見た図。
【図６】同じく図５のＥ−Ｅ断面図。
【図７】同じく図５のＦ−Ｆ断面図。
【図８】同じく図５のＧ−Ｇ断面図。
【図９】同じく可動側上枠及び固定側上枠と中間方立との連結部を上方から見た状態で示す模式図。
【図１０】同じく可動側下枠及び固定側下枠と中間方立との連結部を上方から見た図。
【図１１】同じく図１０のＨ−Ｈ断面図。
【図１２】同じく図１０のＩ−Ｉ断面図。
【図１３】同じく可動側下枠と中間方立と連結部を上方から見た状態で示す模式図。
【図１４】同じく下框に設けられたセッティングブロックを上方から見た図。
【発明を実施するための形態】
【００１３】
［実施の形態の１例］
本発明の実施の形態の１例に就いて、図１〜１４を参照しつつ説明する。本例は、外動片引き式の窓装置１に、本発明を適用した場合に就いて示している。窓装置１は、矩形枠状の窓枠２と、窓枠２の内側に面内方向（窓枠２の幅方向、水平方向）に関する移動可能に建て込まれた可動障子である外障子３と、窓枠２の内側に面内方向に関する移動不能に固定された固定障子である内障子４とを備えている。
【００１４】
窓枠２は、面内方向に配置されて上辺を構成する上枠５と、同じく面内方向に配置されて下辺を構成する下枠６と、鉛直方向に配置されて左右の縦辺を構成する１対の竪枠７ａ、７ｂと、面内方向中央部に鉛直方向に配置された中間方立８とを備えている。そして、上枠５及び下枠６の面内方向両端部と１対の竪枠７ａ、７ｂの上下方向両端部とを、それぞれタッピングねじ等を用いて連結する事により、窓枠２を矩形枠（角部が直角状である四角枠）状に構成している。
【００１５】
本例の窓装置１の場合には、外障子３が閉鎖状態で位置する面内方向に関する片側部分（図１、２の左側半部、可動側部分）と、内障子４が位置する面内方向に関する他側部分（図１、２の右側半部、固定側部分）との、それぞれの断熱性能を確保すべく、窓枠２のうち、面外方向に関して外障子３及び内障子４とそれぞれ整合する部分（外障子３及び内障子４のそれぞれの周囲）に、複数の断熱材９ａ〜９ｇにより構成された断熱ライン１０、１１を設けている。
【００１６】
そして、上述の様な断熱ライン１０、１１を設ける為に、窓枠２を構成する上枠５及び下枠６のそれぞれを、面内方向に関して２分割構造としている。具体的には、上枠５を、面内方向に関して中間方立８を挟んで両側に配置された、それぞれの断面形状が異なる可動側上枠１２及び固定側上枠１３から構成している。このうちの可動側上枠１２は、閉鎖状態での外障子３の上方に位置しており、固定側上枠１３は、内障子４の上方に位置している。同様に、下枠６を、面内方向に関して中間方立８を挟んで両側に配置された、それぞれの断面形状が異なる可動側下枠１４及び固定側下枠１５から構成している。このうちの可動側下枠１４は、閉鎖状態での外障子３の下方に位置しており、固定側下枠１５は、内障子４の下方に位置している。
【００１７】
更に、上枠５を構成する可動側上枠１２及び固定側上枠１３、下枠６を構成する可動側下枠１４及び固定側下枠１５、竪枠７ａ、７ｂ、並びに、中間方立８のそれぞれを、アルミニウム合金製の室外側フレーム（室外側枠材）及び室内側フレーム（室内側枠材）を、合成樹脂製の断熱材によって面外方向に連結した連結構造としている。
【００１８】
尚、アルミニウム合金としては、例えば、Ａ６０６３Ｓ−Ｔ５材（ＪＩＳ Ｈ ４１００）、即ち、０．２０〜０．６重量％のＳｉと、０．３５重量％以下のＦｅと、０．１０重量％以下のＣｕと、０．１０重量％以下のＭｎと、０．４５〜０．９重量％のＭｇと、０．１０重量％以下のＣｒと、０．１０重量％以下のＺｎと、０．１０重量％以下のＴｉと、個々が０．０５重量％以下で合計が０．１５重量％以下の不可避不純物とを含み、残りをＡｌとしたものを、好ましく使用できる。又、断熱材９を構成する合成樹脂としては、ポリアミド６（ナイロン６）や、これにガラス繊維を含有したものなどを利用できる。
次に、窓枠２を構成する枠材毎に、構造を具体的に説明する。
【００１９】
［上枠５の構造］
上枠５を構成する可動側上枠１２は、面内方向に関して中間方立８の片側（図１、２の左側、可動側部分）に配置されており、図３に示した様に、それぞれがアルミニウム合金製である、室外側に配置された可動側室外上枠１６及び室内側に配置された可動側室内上枠１７を、上下方向に離隔する状態で互いに平行に配置された合成樹脂製で帯状（板状）の１対の断熱材９ａ、９ａにより、面外方向に連結する事により構成されている。この為に、面外方向に対向する可動側室外上枠１６の室内側面と可動側室内上枠１７の室外側面とに、それぞれ上下方向に間隔をあけて係止凹溝１８ａ、１８ｂを形成している。そして、断熱材９ａ、９ａのそれぞれの幅方向（面外方向）両端部を、互いに整合する位置に設けられた係止凹溝１８ａ、１８ｂ同士の間に挿入した状態で、これら係止凹溝１８ａ、１８ｂの上下方向幅を縮める（かしめる、断熱材９ａ、９ａの幅方向両端部を抑え付ける）事で、可動側室外上枠１６と可動側室内上枠１７とを断熱材９ａ、９ａを介して連結している。本例の場合には、この様な状態で、断熱材９ａ、９ａが、外障子３の上方（面外方向に関して外障子３と整合する室外寄り部分）に配置されている。
【００２０】
上枠５を構成する固定側上枠１３は、面内方向に関して中間方立８の他側（図１、２の右側、固定側部分）に配置されており、図４に示した様に、それぞれがアルミニウム合金製である、室外側に配置された固定側室外上枠１９及び室内側に配置された固定側室内上枠２０を、上下方向に離隔する状態で互いに平行に配置された合成樹脂製で帯状の１対の断熱材９ｂ、９ｂにより、面外方向に連結する事により構成されている。この為に、面外方向に対向する固定側室外上枠１９の室内側面と固定側室内上枠２０の室外側面とに、それぞれ上下方向に間隔をあけて係止凹溝１８ｃ、１８ｄを形成している。そして、断熱材９ｂ、９ｂのそれぞれの幅方向両端部を、互いに整合する位置に設けられた係止凹溝１８ｃ、１８ｄ同士の間に挿入した状態で、これら係止凹溝１８ｃ、１８ｄの上下方向幅を縮める（断熱材９ｂ、９ｂの幅方向両端部を抑え付ける）事で、固定側室外上枠１９と固定側室内上枠２０とを断熱材９ｂ、９ｂを介して連結している。本例の場合には、この様な状態で、断熱材９ｂ、９ｂが、内障子４の上方｛面外方向に関して内障子４（ガラスパネル８６）と整合する室内寄り部分｝に配置されている。又、１対の断熱材９ｂ、９ｂ同士の間には、スポンジ状の発泡ポリエチレン９３を設けている。
【００２１】
上述した様に、本例の場合には、可動側上枠１２に設けられた断熱材９ａ、９ａと、固定側上枠１３に設けられた断熱材９ｂ、９ｂとが、面外方向に関してオフセットした位置に設けられている。この為、可動側上枠１２と固定側上枠１３との断面形状は大きく異なっている。
【００２２】
そして、上述の様な構成を有する可動側上枠１２の面内方向に関する他端面と固定側上枠１３の面内方向に関する片端面とを、中間方立８の上端部に対してそれぞれ結合固定している。
この為に、図５〜７に示す様に、可動側上枠１２を構成する可動側室内上枠１７の面内方向に関する他端面を、金属板製の張板２１ａにより塞ぐと共に、中間方立８（後述する中空状の室外側方立４７）の上端部に略Ｌ字板状の裏板２２を上方から挿入した状態で、張板２１ａ、中間方立８及び裏板２２のそれぞれ整合する部分に形成された通孔内に、面内方向に関して片側から他側（図５の左側から右側）に向けて複数の結合ねじ２３ａ、２３ａを螺合し更に締め付けている。
【００２３】
これに対し、図５、６、８に示した様に、固定側上枠１３のうちの室内側半部の面内方向に関する片端面を、金属板製の張板２１ｂにより塞いだ状態で、張板２１ｂ及び中間方立８（後述する室外側方立４７及び室内側方立４８）のそれぞれ整合する部分に形成された通孔内に、面内方向に関して片側から他側に向けて複数の結合ねじ２３ｂ、２３ｂを螺合し更に締め付けている。
【００２４】
更に、図９に示した様に、可動側上枠１２の室内側面と中間方立８（後述する室内側方立４８）の上端部室内側部分との間部分、及び、固定側上枠１３の室内側面と中間方立８（室内側方立４８）の上端部室内側部分との間部分に、それぞれ略Ｌ字状の上部ジョイント部材２４ａ、２４ｂを、それぞれ複数のねじ２５、２５により固定している。尚、本例の場合には、可動側上枠１２（可動側室内上枠１７）の内側、及び、固定側上枠１３（固定側室内上枠２０）の内側に、それぞれが金属製で矩形板状の裏板２６ａ、２６ａを設けると共に、中間方立８（室内側方立４８）の内側に略コ字状の裏板２６ｂを設けて、ねじ２５、２５による結合力を高めている。尚、中間方立８に対する可動側上枠１２及び固定側上枠１３の結合作業は、中間方立８に対して固定側上枠１３を結合した後に、中間方立８に対して可動側上枠１２を結合する。
【００２５】
更に、面内方向に関して可動側上枠１２と固定側上枠１３との間部分で、中間方立８（室内側方立４８）よりも室外側に存在する部分に、シール材２７を充填して、可動側上枠１２と固定側上枠１３との間部分の隙間を塞いでいる。更に、可動側上枠１２と固定側上枠１３の下面に対し、これら可動側上枠１２と固定側上枠１３とを掛け渡す様にして、外障子３の上端部を案内する為の長尺上の上部案内レール部材２８を、複数のねじ２９により下方から固定している。
本例の場合には、この様にして上枠５を構成し、上枠５を構成する可動側上枠１２及び固定側上枠１３を中間方立８の上端部に対してそれぞれ結合固定している。
【００２６】
［下枠６の構造］
下枠６を構成する可動側下枠１４は、面内方向に関して中間方立８の片側（図１の左側）に配置されており、図３に示した様に、それぞれがアルミニウム合金製である、室外側に配置された可動側室外下枠３０及び室内側に配置された可動側室内下枠３１を、上下方向に離隔する状態で互いに平行に配置された合成樹脂製で帯状の１対の断熱材９ｃ、９ｃにより、面外方向に連結する事により構成されている。この為に、面外方向に対向する可動側室外下枠３０の室内側面と可動側室内下枠３１の室外側面とに、それぞれ上下方向に間隔をあけて係止凹溝３５ａ、３５ｂを形成している。そして、断熱材９ｃ、９ｃのそれぞれの幅方向両端部を、互いに整合する位置に設けられた係止凹溝３５ａ、３５ｂ同士の間に挿入した状態で、これら係止凹溝３５ａ、３５ｂの上下方向幅を縮める（断熱材９ｃ、９ｃの幅方向両端部を抑え付ける）事で、可動側室外下枠３０と可動側室内下枠３１とを断熱材９ｃ、９ｃを介して連結している。本例の場合には、この様な状態で、断熱材９ｃ、９ｃが、外障子３の下方（面外方向に関して外障子３と整合する室外寄り部分）に配置されている。又、１対の断熱材９ｃ、９ｃ同士の間には、スポンジ状の発泡ポリエチレン９３を設けている。
【００２７】
下枠６を構成する固定側下枠１５は、面内方向に関して中間方立８の他側（図１の右側）に配置されており、図４に示した様に、それぞれがアルミニウム合金製である、室外側に配置された固定側室外下枠３３及び室内側に配置された固定側室内下枠３４を、上下方向に離隔する状態で互いに平行に配置された合成樹脂製で帯状の１対の断熱材９ｄ、９ｄにより、面外方向に連結する事により構成されている。この為に、面外方向に対向する固定側室外下枠３３の室内側面と固定側室内下枠３４の室外側面とに、それぞれ上下方向に間隔をあけて係止凹溝３５ｃ、３５ｄを形成している。そして、断熱材９ｄ、９ｄのそれぞれの幅方向両端部を、互いに整合する位置に設けられた係止凹溝３５ｃ、３５ｄ同士の間に挿入した状態で、これら係止凹溝３５ｃ、３５ｄの上下方向幅を縮める（断熱材９ｄ、９ｄの幅方向両端部を抑え付ける）事で、固定側室外下枠３３と固定側室内下枠３４とを断熱材９ｄ、９ｄを介して連結している。本例の場合には、この様な状態で、断熱材９ｄ、９ｄが、内障子４の下方｛面外方向に関して内障子４（ガラスパネル８６）と整合する室内寄り部分｝に配置されている。又、１対の断熱材９ｄ、９ｄ同士の間には、スポンジ状の発泡ポリエチレン９３を設けている。
【００２８】
上述した様に、本例の場合には、可動側下枠１４に設けられた断熱材９ｃ、９ｃと、固定側下枠１５に設けられた断熱材９ｄ、９ｄとが、面外方向に関してオフセットした位置に設けられている。この為、可動側下枠１４と固定側下枠１５との断面形状は大きく異なっている。
【００２９】
そして、上述の様な構成を有する可動側下枠１４の面内方向に関する他端面と固定側下枠１５の面内方向に関する片端面とを、中間方立８の下端部に対してそれぞれ結合固定している。
この為に、図１０、１１、１３に示した様に、可動側下枠１４の面内方向に関する他端面を、金属板製の張板２１ｃにより塞いだ状態で、可動側下枠１４の室内側面と中間方立８（後述する室内側方立４８）の下端部室内側部分との間部分に、略Ｌ字状の下部ジョイント部材３２を、それぞれ複数のねじ３６、３６により固定している。尚、本例の場合には、可動側下枠１４（可動側室内下枠３１）の内側に、金属製で矩形板状の裏板３７ａを設けると共に、中間方立８（室内側方立４８）の内側に、金属製で略矩形板状の裏板３７ｂを設けて、ねじ３６、３６による結合力を高めている。尚、中間方立８に対する可動側下枠１４及び固定側下枠１５の結合作業は、中間方立８に対して固定側下枠１５を結合した後に、中間方立８に対して可動側下枠１４を結合する。
【００３０】
これに対し、図１０、１２に示した様に、固定側下枠１５の面内方向に関する他端面を、金属板製の張板２１ｄにより塞いだ状態で、張板２１ｄ及び中間方立８（後述する室外側方立４７及び室内側方立４８）のそれぞれ整合する部分に形成された通孔内に、面内方向に関して片側から他側に向けて複数の結合ねじ２３ｄ、２３ｄを螺合し更に締め付けている。
【００３１】
更に、面内方向に関して可動側下枠１４と固定側下枠１５の室外側半部の上面に対し、これら可動側下枠１４と固定側下枠１５とを掛け渡す様にして、外障子３の下端部を案内する為の長尺状の下部案内レール部材３８を、複数のねじ３９、３９により固定している。下部案内レール部材３８は、上部案内レール部材２８よりも大型に構成されており、外障子３を案内する為のレール本体３８ａ以外に、面外方向に離隔した状態で垂下した３つの垂下壁部４０ａ、４０ｂ、４０ｃを備えている。
本例の場合には、この様にして下枠６を構成し、下枠６を構成する可動側下枠１４及び固定側下枠１５を中間方立８の下端部に対してそれぞれ結合固定している。
【００３２】
［竪枠７ａ、７ｂの構造］
左右の竪枠７ａ、７ｂのうち、面内方向に関して片側（図１、２の左側）に配置された竪枠７ａは、図２に示した様に、それぞれがアルミニウム合金製である室外側に配置された可動側室外竪枠４１及び室内側に配置された可動側室内竪枠４２を、面内方向に離隔する状態で互いに平行に配置された合成樹脂製で帯状の１対の断熱材９ｅ、９ｅにより、面外方向に連結する事により構成されている。この為に、面外方向に対向する可動側室外竪枠４１の室内側面と可動側室内竪枠４２の室外側面とに、それぞれ面内方向に間隔をあけて係止凹溝４３ａ、４３ｂを形成している。そして、断熱材９ｅ、９ｅのそれぞれの幅方向両端部を、互いに整合する位置に設けられた係止凹溝４３ａ、４３ｂ同士の間に挿入した状態で、これら係止凹溝４３ａ、４３ｂの面内方向幅を縮める（断熱材９ｅ、９ｅの幅方向両端部を抑え付ける）事で、可動側室外竪枠４１と可動側室内竪枠４２とを断熱材９ｅ、９ｅを介して連結している。本例の場合には、この様な状態で、断熱材９ｅ、９ｅが、外障子３の側方（面外方向に関して外障子３と整合する室外寄り部分）に配置されている。
【００３３】
又、左右の竪枠７ａ、７ｂのうち、面内方向に関して他側（図１、２に右側）に配置された竪枠７ｂは、それぞれがアルミニウム合金製である室外側に配置された固定側室外竪枠４４及び室内側に配置された固定側室内竪枠４５を、面内方向に離隔する状態で互いに平行に配置された合成樹脂製で帯状の１対の断熱材９ｆ、９ｆにより、面外方向に連結する事により構成されている。この為に、面外方向に対向する固定側室外竪枠４４の室内側面と固定側室内竪枠４５の室外側面とに、それぞれ面内方向に間隔をあけて係止凹溝４６ａ、４６ｂを形成している。そして、断熱材９ｆ、９ｆのそれぞれの幅方向両端部を、互いに整合する位置に設けられた係止凹溝４６ａ、４６ｂ同士の間に挿入した状態で、これら係止凹溝４６ａ、４６ｂの面内方向幅を縮める（断熱材９ｆ、９ｆの幅方向両端部を抑え付ける）事で、固定側室外竪枠４４と固定側室内竪枠４５とを断熱材９ｆ、９ｆを介して連結している。本例の場合には、この様な状態で、断熱材９ｆ、９ｆが、内障子４の側方｛面外方向に関して内障子４（ガラスパネル８６）と整合する室内寄り部分｝に配置されている。
【００３４】
［中間方立８の構造］
中間方立８は、上述した様に、上端部を可動側上枠１２及び固定側上枠１３に連結されていると共に、下端部を可動側下枠１４及び固定側下枠１５に連結されている。又、図２に示した様に、中間方立８は、それぞれがアルミニウム合金製である、室外側に配置された室外側方立４７及び室内側に配置された室内側方立４８を、面内方向に離隔する状態で互いに平行に配置された合成樹脂製で帯状の１対の断熱材９ｇ、９ｇにより、面外方向に連結する事により構成されている。この為に、面外方向に対向する室外側方立４７の室内側面と室内側方立４８の室外側面とに、それぞれ面内方向に間隔をあけて係止凹溝４９ａ、４９ｂを形成している。そして、断熱材９ｇ、９ｇのそれぞれの幅方向両端部を、互いに整合する位置に設けられた係止凹溝４９ａ、４９ｂ同士の間に挿入した状態で、これら係止凹溝４９ａ、４９ｂの面内方向幅を縮める（断熱材９ｇ、９ｇの幅方向両端部を抑え付ける）事で、室外側方立４７と室内側方立４８とを断熱材９ｇ、９ｇを介して連結している。本例の場合には、この様な状態で、断熱材９ｇ、９ｇが、内障子４の側方｛面外方向に関して内障子４（ガラスパネル８６）と整合する室内寄り部分｝に配置されている。
【００３５】
上述の様な各枠材を連結する事で構成される本例の窓枠２には、面内方向に関して片側半部（図１、２の左側半部）である、閉鎖状態で外障子３が位置する可動側部分の室外寄り部分に、複数の断熱材９ａ、９ｃ、９ｅにより構成される外障子３の三方（面内方向他側を除く三方）を囲む可動側断熱ライン１０が形成されている。これに対し、窓枠２のうち、面内方向に関して他側半部（図１、２の右側半部）である、内障子４が位置する固定側部分の室内寄り部分には、複数の断熱材９ｂ、９ｄ、９ｆ、９ｇにより構成される内障子４の四方を囲む固定側断熱ライン１１が形成されている。
【００３６】
次に、上述の様な構成を有する窓枠２の内側に面内方向に関する移動可能に建て込まれる外障子３、及び、窓枠２の内側に面内方向に関する移動不能に固定される内障子４の構造に就いて、それぞれ具体的に説明する。
【００３７】
［外障子３の構造］
外障子３は、上辺を構成する上框５０と、下辺を構成する下框５１と、それぞれが左右の縦辺を構成する縦框である召し合わせ框５２及び戸先框５３とにより、矩形板状のガラスパネル５４の四辺を囲む事により構成されている。又、本例の場合には、ガラスパネル５４の周囲を取り囲む様に、外障子３を構成する各框５０〜５３により構成される框枠体５５に、複数の断熱材９ｈ〜９ｋにより構成された框側断熱ライン５６を設けている。又、断熱性能の向上を図るべく、框側断熱ライン５６の面外方向に関する形成位置を、窓枠２の可動側部分に設けられた可動側断熱ライン１０とほぼ一致させている。そして、この為に、框枠体５５を構成する上框５０、下框５１、召し合わせ框５２及び戸先框５３のそれぞれを、アルミニウム合金製の室外側フレーム（室外側框材）及び室内側フレーム（室内側框材）を、合成樹脂製の断熱材によって面外方向に連結した連結構造としている。
尚、框枠体５５を構成する各框５０〜５３に関しても、アルミニウム合金として、例えば、Ａ６０６３Ｓ−Ｔ５材（ＪＩＳ Ｈ ４１００）を使用する事ができ、断熱材を構成する合成樹脂としては、ポリアミド６（ナイロン６）や、これにガラス繊維を含有したものなどを利用できる。
【００３８】
［外障子３を構成する上框５０の構造］
上框５０は、図３に示した様に、それぞれがアルミニウム合金製である、室外側に配置された室外側上框５７及び室内側に配置された室内側上框５８を、上下方向に離隔する状態で互いに平行に配置された合成樹脂製で帯状の１対の断熱材９ｈ、９ｈにより、面外方向に連結する事により構成されている。この為に、面外方向に対向する室外側上框５７の室内側面と室内側上框５８の室外側面とに、それぞれ上下方向に間隔をあけて係止凹溝５９ａ、５９ｂを形成している。そして、断熱材９ｈ、９ｈのそれぞれの幅方向両端部を、互いに整合する位置に設けられた係止凹溝５９ａ、５９ｂ同士の間に挿入した状態で、これら係止凹溝５９ａ、５９ｂの上下方向幅を縮める（断熱材９ｈ、９ｈの幅方向両端部を抑え付ける）事で、室外側上框５７と室内側上框５８とを断熱材９ｈ、９ｈを介して連結している。本例の場合には、この様な状態で、上框５０の下端部に、ガラスパネル５４の上辺が挿入されるガラス溝６０ａが設けられている。又、断熱材９ｈ、９ｈは、ガラスパネル５４の上方（面外方向に関してガラスパネル５４と整合する部分）に配置されており、下方に配置された断熱材９ｈは、ガラス溝６０ａの底部の一部（室内側半部）を構成している。又、室外側上框５７の上端部には、上面に開口する状態で、上部案内レール部材２８と係合可能な上部案内溝６１が設けられている。又、１対の断熱材９ｈ、９ｈ同士の間には、スポンジ状の発泡ポリエチレン９３が設けられている。
【００３９】
［外障子３を構成する下框５１の構造］
下框５１は、図３に示した様に、それぞれがアルミニウム合金製である、室外側に配置された室外側下框６２及び室内側に配置された室内側下框６３を、上下方向に離隔する状態で互いに平行に配置された合成樹脂製で帯状の１対の断熱材９ｉ、９ｉにより、面外方向に連結する事により構成されている。この為に、面外方向に対向する室外側下框６２の室内側面と室内側下框６３の室外側面とに、それぞれ上下方向に間隔をあけて係止凹溝６４ａ、６４ｂを形成している。そして、断熱材９ｉ、９ｉのそれぞれの幅方向両端部を、互いに整合する位置に設けられた係止凹溝６４ａ、６４ｂ同士の間に挿入した状態で、これら係止凹溝６４ａ、６４ｂの上下方向幅を縮める（断熱材９ｉ、９ｉの幅方向両端部を抑え付ける）事で、室外側下框６２と室内側下框６３とを断熱材９ｉ、９ｉを介して連結している。本例の場合には、この様な状態で、下框５１の上端部に、ガラスパネル５４の下辺が挿入されるガラス溝６０ｂが設けられている。又、断熱材９ｉ、９ｉは、ガラスパネル５４の下方（面外方向に関してガラスパネル５４と整合する部分）に配置されており、上方に配置された断熱材９ｉは、ガラス溝６０ｂの底部の一部（室内側半部）を構成している。又、室外側下框６２には、下部案内レール部材３８（レール本体３８ａ）と係合可能な戸車６５が設けられている。又、１対の断熱材９ｉ、９ｉ同士の間には、スポンジ状の発泡ポリエチレン９３が設けられている。
【００４０】
［外障子３を構成する召し合わせ框５２の構造］
召し合わせ框５２は、図２に示した様に、それぞれがアルミニウム合金製である、室外側に配置された室外側召し合わせ框６６及び室内側に配置された室内側召し合わせ框６７を、面内方向に離隔する状態で互いに平行に配置された合成樹脂製で帯状の１対の断熱材９ｊ、９ｊにより、面外方向に連結する事により構成されている。この為に、面外方向に対向する室外側召し合わせ框６６の室内側面と室内側召し合わせ框６７の室外側面とに、それぞれ面内方向に間隔をあけて係止凹溝６８ａ、６８ｂを形成している。そして、断熱材９ｊ、９ｊのそれぞれの幅方向両端部を、互いに整合する位置に設けられた係止凹溝６８ａ、６８ｂ同士の間に挿入した状態で、これら係止凹溝６８ａ、６８ｂの面内方向幅を縮める（断熱材９ｊ、９ｊの幅方向両端部を抑え付ける）事で、室外側召し合わせ框６６と室内側召し合わせ框６７とを断熱材９ｊ、９ｊを介して連結している。本例の場合には、この様な状態で、召し合わせ框５２の面内方向に関する片側端部に、ガラスパネル５４の側辺が挿入されるガラス溝６０ｃが設けられている。又、断熱材９ｊ、９ｊは、ガラスパネル５４の側方（面外方向に関してガラスパネル５４と整合する部分）に配置されており、面内方向に関して片側に配置された断熱材９ｊは、ガラス溝６０ｃの底部の一部を構成している。
【００４１】
［外障子３を構成する戸先框５３の構造］
戸先框５３は、図２に示した様に、それぞれがアルミニウム合金製である、室外側に配置された室外側戸先框６９及び室内側に配置された室内側戸先框７０を、面内方向に離隔する状態で互いに平行に配置された合成樹脂製で帯状の１対の断熱材９ｋ、９ｋにより、面外方向に連結する事により構成されている。この為に、面外方向に対向する室外側戸先框６９の室内側面と室内側戸先框７０の室外側面とに、それぞれ面内方向に間隔をあけて係止凹溝７１ａ、７１ｂを形成している。そして、断熱材９ｋ、９ｋのそれぞれの幅方向両端部を、互いに整合する位置に設けられた係止凹溝７１ａ、７１ｂ同士の間に挿入した状態で、これら係止凹溝７１ａ、７１ｂの面内方向幅を縮める（断熱材９ｋ、９ｋの幅方向両端部を抑え付ける）事で、室外側戸先框６９と室内側戸先框７０とを断熱材９ｋ、９ｋを介して連結している。本例の場合には、この様な状態で、戸先框５３の面内方向に関する他側端部に、ガラスパネル５４の側辺が挿入されるガラス溝６０ｄが設けられている。又、断熱材９ｋ、９ｋは、ガラスパネル５４の側方（面外方向に関してガラスパネル５４と整合する部分）に配置されており、面内方向に関して他側に配置された断熱材９ｋは、ガラス溝６０ｄの底部の一部を構成している。
【００４２】
［外障子３に関するガラスパネル５４の支持構造］
上述した様に、本例の場合には、下框５１に設けられたガラス溝６０ｂの底部の一部（室内側半部）を、合成樹脂製の断熱材９ｉにより構成している。この為、長期間に亙る使用によって、断熱材９ｉに変形等が生じるのを防止する為、この断熱材９ｉの下方で且つ面外方向に関して室外側下框６２と室内側下框６３との間部分に、１対の補強部材７２を設けている。これら各補強部材７２は、それぞれ中空状に構成されており、面内方向に関して下框５１の両側端部に設けられている。又、補強部材７２には、上端面に平坦面状の支承面７３が設けられていると共に、室外側面に上下方向両側に突出した係合突条７４が設けられている。そして、支承面７３を断熱材９ｉの下面に対して当接させた状態で、補強部材７２と断熱材９ｉとをねじ７６により上方から結合している。又、この状態で、係合突条７４を、室外側下框６２の室内側面に開口したあり溝状の係合溝７５に係合（スライド嵌合によりねじ７６の結合位置まで移動）させて、補強部材７２を室外側下框６２に支持している。
【００４３】
本例の場合には、上述の様な構成を有する框枠体５５に設けられたガラス溝６０ａ〜６０ｄの内側に、ガラスパネル５４を設けている。ガラスパネル５４の下方には、図３、１４に示した様な、断面略Ｌ字形の１対のセッティングブロック７７が設けられており、セッティングブロック７７は、下框５１のガラス溝６０ｂの底部を構成する室外側下框６２及び断熱材９ｉのそれぞれの上面に載置されている。又、セッティングブロック７７の室内側端部には、上下方向に貫通した切り欠き７７ａが設けられており、この切り欠き７７ａの内側に、補強部材７２と断熱材９ｉとを結合する為のねじ７６が配置されている。本例の場合には、この様なセッティングブロック７７を介してガラスパネル５４の重量が断熱材９ｉに加わる為、それぞれのセッティングブロック７７の下方に、セッティングブロック７７よりも面内方向に関する全長の長い補強部材７２を配置している。よって、断熱材９ｉは、セッティングブロック７７と補強部材７２とにより上下に挟持される事で、変形に対して保護されている。又、ガラスパネル５４の外周縁寄り部分の両側面と、ガラス溝６０ａ〜６０ｄの開口部との間部分を、それぞれシール材９４ａ、９４ｂによりそれぞれ全周に亙りシールしている。
【００４４】
上述の様な構成を有する外障子３には、この外障子３の閉鎖時に戸先框５３が竪枠７ｂと勢い良く衝突する事を防止する為、制動装置７８を設けている。制動装置７８は、上枠５を構成する可動側室内上枠１７の下面に面内方向に沿って支持されたラック７９と、外障子３を構成する室内側上框５８の室内側面に支持された制動装置本体８０とから構成されている。制動装置本体８０は、ラック７９と噛合自在なピニオン８１と、ピニオン８１が外障子３の閉鎖方向への移動に伴い回転した場合にのみ、ピニオン８１の回転抵抗を大きくする抵抗付与手段とを備えている。又、外障子３を構成する戸先框５３と竪枠７ａとの間には、ロール式網戸装置８２が設けられている。ロール式網戸装置８２は、外障子３の開閉動作に併せて、巻き取り軸８３からネット８４を引き出したり、巻き取り軸８３にネット８４を巻き取ったりする。又、ネット８４の端縁に固定された網戸用框８５の上端部は、外障子３と同様に、上部案内レール部材２８により面内方向に案内される。
【００４５】
［内障子４の構造］
これに対し、内障子４は、矩形板状のガラスパネル８６から構成されており、このガラスパネル８６は、窓枠２の内側に直接固定されている。具体的には、ガラスパネル８６の上下左右の四辺を、上枠５を構成する固定側上枠１３の室内側の下端部に設けられたガラス溝８７ａと、下枠６を構成する固定側下枠１５の室内側の上端部に設けられたガラス溝８７ｂと、竪枠７ｂの室内側部分のうち、面内方向に関して片側端部に設けられたガラス溝８７ｃと、中間方立８の室外側部分のうち、面内方向に関して他側端部に設けられたガラス溝８７ｄとに、それぞれ挿入している。
【００４６】
又、上述の様にガラスパネル８６の各辺をガラス溝８７ａ〜８７ｄの内側に挿入した状態で、ガラスパネル８６の上方（面外方向に関して整合する部分）には、固定側室外上枠１９と固定側室内上枠２０とを面外方向に連結する断熱材９ｂ、９ｂが配置されている。又、ガラスパネル８６の下方（面外方向に関して整合する部分）には、固定側室外下枠３３と固定側室内下枠３４とを面外方向に連結する断熱材９ｄ、９ｄが配置されている。又、ガラスパネル８６の側方（面外方向に関して整合する部分）には、固定側室外竪枠４４と固定側室内竪枠４５とを面外方向に連結する断熱材９ｆ、９ｆ、及び、室外側方立４７と室内側方立４８とを面外方向に連結する断熱材９ｇ、９ｇが配置されている。
【００４７】
［内障子４に関するガラスパネル８６の支持構造］
又、本例の場合には、ガラスパネル８６の下方に位置する１対の断熱材９ｄ、９ｄのうち、上側に配置された断熱材９ｄは、ガラス溝８７ｂの底部の一部を構成している。この為、長期間に亙る使用によって、断熱材９ｄに変形等が生じるのを防止する為、この断熱材９ｄの下方で且つ面外方向に関して固定側室外下枠３３と固定側室内下枠３４との間部分に、１対の補強部材８８を設けている。これら各補強部材８８は、外障子３に設けられた補強部材７２と同様にそれぞれが中空状に構成されており、面内方向に関して固定側下枠１５の両側端部に設けられている。又、補強部材８８には、上端面に平坦面状の支承面８９が設けられていると共に、室内側面に上下方向両側に突出した係合突条９０が設けられている。そして、支承面８９を断熱材９ｄの下面に対して当接させた状態で、補強部材８８と断熱材９ｄとを図示しないねじにより上方から結合している。又、この状態で、係合突条９０を、固定側室内下枠３４の室外側面に開口したあり溝状の係合溝９１に係合（スライド嵌合によりねじの結合位置まで移動）させて、補強部材８８を固定側室内下枠３４に支持している。
【００４８】
又、内障子４を構成するガラスパネル８６の下方には、断面略Ｌ字形の１対のセッティングブロック９２が設けられている。セッティングブロック９２は、固定側下枠１５のガラス溝８７ｂの底部を構成する固定側室外下枠３３の上面、断熱材９ｄの上面、及び、固定側室内下枠３４の上面にそれぞれ載置されている。本例の場合には、この様なセッティングブロック９２を介してガラスパネル８６の重量が断熱材９ｄに加わる為、それぞれのセッティングブロック９２の下方に、セッティングブロック９２よりも面内方向に関する全長の長い補強部材８８を配置している。よって、断熱材９ｄは、セッティングブロック９２と補強部材８８とにより上下に挟持される事で、変形に対して保護されている。又、ガラスパネル８６の外周縁寄り部分の両側面と、ガラス溝８７ａ〜８７ｄの開口部との間部分は、それぞれシール材９５ａ、９５ｂによりそれぞれ全周に亙りシールしている。
【００４９】
以上の様な構成を有する本例の外動片引き式の窓装置１の場合には、窓枠２の可動側断熱ライン１０と框枠体５５の框側断熱ライン５６との面外方向に関する形成位置を近づける（面外方向に関してほぼ一致させる）事で、断熱性能の向上を図っている。そして、この為に、外障子３のガラスパネル５４の下辺を挿入する、下框５１に設けられたガラス溝６０ｂの底部の一部を、合成樹脂製の断熱材９ｉにより構成している。但し、本例の場合には、断熱材９ｉの下方に、室外側下框６２に支持された補強部材７２を配置し、この補強部材７２の支承面７３によって断熱材９ｉの下面を支持している。この為、ガラスパネル５４から断熱材９ｉに加わる重量を、補強部材７２を介して、室外側下框６２に支承させる事ができる。従って、長期間に亙る使用に拘らず、断熱材９ｉに変形等が生じる事を有効に防止でき、下框５１に歪み等の変形が生じる事も防止できる。
【００５０】
同様に、本例の場合には、外障子３の周囲（面外方向に関して外障子３と整合する部分）に設けられた可動側断熱ライン１０とは別に、内障子４の周囲に固定側断熱ライン１１を設けて、可動側部分と固定側部分とのそれぞれの断熱性能の向上を図っている。そして、この為に、内障子４のガラスパネル８６の下辺を挿入する、固定側下枠１５に設けられたガラス溝８７ｂの底部の一部を合成樹脂製の断熱材９ｄにより構成している。但し、本例の場合には、断熱材９ｄの下方に、固定側室内下枠３４に支持された補強部材８８を配置し、この補強部材８８の支承面８９によって断熱材９ｄの下面を支持している。この為、ガラスパネル８６から断熱材９ｄに加わる重量を、補強部材８８を介して、固定側室内下枠３４に支承させる事ができる。従って、長期間に亙る使用に拘らず、断熱材９ｄに変形等が生じる事を有効に防止でき、下枠６（固定側下枠１５）に歪み等の変形が生じる事を防止できる。
【００５１】
更に、本例の場合、窓枠２のうち、外障子３が閉鎖状態で位置する面内方向に関する片側部分と、内障子４が位置する面内方向に関する他側部分とに、面外方向にオフセットした状態で、それぞれ別々の断熱ライン１０、１１を形成している。この為、窓枠２のうちで、断熱ライン１０、１１よりも室外側に存在する各枠材（可動側室外上枠１６、固定側室外上枠１９、可動側室外下枠３０、固定側室外下枠３３、可動側室外竪枠４１、固定側室外竪枠４４、及び、室外側方立４７）の温度が外気の温度に近づいた（例えば冷やされた）場合にも、断熱ライン１０、１１よりも室内側に存在する各枠材（可動側室内上枠１７、固定側室内上枠２０、可動側室内下枠３１、固定側室内下枠３４、可動側室内竪枠４２、固定側室内竪枠４５、及び、室内側方立４８）の温度が、外気の温度に応じて変化する事を有効に防止できる。この為、例えば、面外方向に関して外障子と整合する部分にのみ断熱ラインを形成した場合の様に、内障子全体が断熱ラインよりも室内側に位置する事に起因して、窓枠のうちで内障子を支持した各枠材の室内側部分（室内側フレーム）の温度が、外気の温度に応じて変化し易くなる事を防止できる。この様に、本例の場合には、外障子３が配置された可動側部分と内障子４が配置された固定側部分との両方で、断熱性能を十分に確保できる。
【００５２】
尚、本発明は、ガラスパネルの下辺を窓障子を構成する下框によって支持する構造に適用する事ができるが、この場合の窓障子は、窓枠内に面内方向に移動可能に建て込まれる可動障子に限らず、面内方向に移動不能に固定される固定障子でも良い。又、上述した実施の形態では、内障子を構成するガラスパネルの四辺を、窓枠の内側に直接固定する構造を例に説明したが、ガラスパネルの四辺を框枠体により支持した内障子を、窓枠の内側に固定する構造を採用する事もできる。
【符号の説明】
【００５３】
１    窓装置
２    窓枠
３    外障子
４    内障子
５    上枠
６    下枠
７ａ、７ｂ  竪枠
８    中間方立
９ａ〜９ｋ    断熱材
１０    可動側断熱ライン
１１    固定側断熱ライン
１２    可動側上枠
１３    固定側上枠
１４    可動側下枠
１５    固定側下枠
１６    可動側室外上枠
１７    可動側室内上枠
１８ａ〜１８ｄ  係止凹溝
１９    固定側室外上枠
２０    固定側室内上枠
２１ａ、２１ｂ  張板
２２    裏板
２３ａ〜２３ｄ  結合ねじ
２４ａ、２４ｂ  上部ジョイント部材
２５    ねじ
２６ａ、２６ｂ  裏板
２７    シール材
２８    上部案内レール部材
２９    ねじ
３０    可動側室外下枠
３１    可動側室内下枠
３２    下部ジョイント部材
３３    固定側室外下枠
３４    固定側室内下枠
３５ａ〜３５ｄ  係止凹溝
３６    ねじ
３７ａ、３７ｂ  裏板
３８    下部案内レール部材
３８ａ    レール本体
３９    ねじ
４０ａ〜４０ｃ  垂下壁部
４１    可動側室外竪枠
４２    可動側室内竪枠
４３ａ、４３ｂ  係止凹溝
４４    固定側室外竪枠
４５    固定側室内竪枠
４６ａ、４６ｂ  係止凹溝
４７    室外側方立
４８    室内側方立
４９ａ、４９ｂ  係止凹溝
５０    上框
５１    下框
５２    召し合わせ框
５３    戸先框
５４    ガラスパネル
５５    框枠体
５６    框側断熱ライン
５７    室外側上框
５８    室内側上框
５９ａ、５９ｂ  係止凹溝
６０    ガラス溝
６１    上部案内溝
６２    室外側下框
６３    室内側下框
６４ａ、６４ｂ  係止凹溝
６５    戸車
６６    室外側召し合わせ框
６７    室内側召し合わせ框
６８ａ、６８ｂ  係止凹溝
６９    室外側戸先框
７０    室内側戸先框
７１ａ、７１ｂ  係止凹溝
７２    補強部材
７３    支承面
７４    係合突条
７５    係合溝
７６    ねじ
７７    セッティングブロック
７７ａ    切り欠き
７８    制動装置
７９    ラック
８０    制動装置本体
８１    ピニオン
８２    ロール式網戸装置
８３    巻き取り軸
８４    ネット
８５    網戸用框
８６    ガラスパネル
８７ａ〜８７ｄ  ガラス溝
８８    補強部材
８９    支承面
９０    係合突条
９１    係合溝
９２    セッティングブロック
９３    発泡ポリエチレン
９４ａ、９４ｂ  シール材
９５ａ、９５ｂ  シール材
【図１】
2018112033.tif 000003
【図２】
2018112033.tif 000004
【図３】
2018112033.tif 000005
【図４】
2018112033.tif 000006
【図５】
2018112033.tif 000007
【図６】
2018112033.tif 000008
【図７】
2018112033.tif 000009
【図８】
2018112033.tif 000010
【図９】
2018112033.tif 000011
【図１０】
2018112033.tif 000012
【図１１】
2018112033.tif 000013
【図１２】
2018112033.tif 000014
【図１３】
2018112033.tif 000015
【図１４】
2018112033.tif 000016